Podtech/llm-jp-corpus-v4-ja_patent huggingface dataset:
(57)【要約】【課題】従来のバッチ式でなくコンベア付き過熱蒸気炉を用いて効率的かつ安価な化粧用パフの表面改質方法を提供することを目的とする。【解決手段】機能性モノマーを重合と同時にパフ表面のゴム分子鎖に結合させるようにした化粧用パフの表面改質方法において、過熱蒸気炉１内に、パフ搬送用のコンベア２を通過させるように構成し、搬入前の該コンベア２上に反応液を含浸させたパフ３を並置した後、上記過熱蒸気炉１内に搬入し、該炉内に所定温度の過熱蒸気を所定時間充満させて上記パフ３の重合反応を行わせるようにしたものである。【選択図】　　　図２
2004049515.tif 000002
【特許請求の範囲】
【請求項１】
機能性モノマーを重合と同時にパフ表面のゴム分子鎖に結合させるようにした化粧用パフの表面改質方法において、
過熱蒸気炉内に、パフ搬送用のコンベアを通過させるように構成し、搬入前の該コンベア上に反応液を含浸させたパフを並置した後、上記過熱蒸気炉内に搬入し、該炉内に所定温度の過熱蒸気を所定時間充満させて上記パフの重合反応を行わせるようにしたことを特徴とする化粧用パフの表面改質方法。
【発明の詳細な説明】
【０００１】
【産業上の利用分野】
本発明は化粧用パフの表面改質方法に関するものである。
【０００２】
【従来の技術】
従来は、図１に示す如く、複数のパフ素材６を袋７に入れてこれを反応容器８（オートクレーブ）に入れる。また、反応容器８内に水及び反応液９を加え、減圧して空気を除き、チッソ（Ｎ２）を封入して常圧に戻すことにより反応液９をパフ素材６に含浸させる。この後、加熱して表面改質を行っていた。この反応条件例は８０℃で４０分間の加熱である。
このように、機能性モノマーを、重合と同時にパフのゴム分子鎖に結合させパフの表面改質を行う場合、酸素を遮断することと反応温度を一定に保つことが必要なために、蒸気のようなオートクレーブ等のバッチ式反応槽を必要とした。
【０００３】
【発明が解決しようとする課題】
しかしながら、蒸気従来のパフの表面改質方法では以下の種々の問題点があった。
（１）　パフの比重が０．１〜０．２と低いために、パフが反応液に沈み難く均一の反応が困難であった。また、均一の反応をさせるためには大掛かり且つ高価な装置が必要である。
（２）　反応は水溶液中で行うため余分な反応液が必要となる。また、反応液を加熱するためにその再利用が出来ず、反応液はその都度捨てられるため無駄を生じる。
（３）　反応時間を短くするには反応雰囲気を高温高圧にすればよいが、その場合は装置が非常に高価になり、取扱いも難しい。
等の問題があった。
【０００４】
そこで、本発明はかかる従来の課題に鑑みて、従来のバッチ式でなくコンベア付き過熱蒸気炉を用いて効率的かつ安価な化粧用パフの表面改質方法を提供することを目的とする。
【０００５】
【課題を解決しようとする手段】
かかる目的を達成するために本発明の化粧用パフの表面改質方法は、図２に示すように、機能性モノマーを重合と同時にパフ表面のゴム分子鎖に結合させるようにした化粧用パフの表面改質方法において、過熱蒸気炉１内に、パフ搬送用のコンベア２を通過させるように構成し、搬入前の該コンベア２上に反応液を含浸させたパフ３を並置した後、上記過熱蒸気炉１内に搬入し、該炉内に所定温度の過熱蒸気を所定時間充満させて上記パフ３の重合反応を行わせるようにしたものである。
【０００６】
【発明の実施の形態】
以下、本発明の実施の形態例を図に基づいて詳細に説明する。図２において、１は過熱蒸気炉、２はパフ搬送用のコンベアで、エンドレス状に過熱蒸気炉１内に通過するように構成されている。また、該過熱蒸気炉１は外気を略遮断状態に構成されている。作業工程は先ず、過熱蒸気炉１の入り口側のコンベア２上に、予め反応液を含浸させたパフ３を順次並べて、これらをコンベア２を回転させて炉内に入れる。過熱蒸気炉１には過熱蒸気の送入管４及び排気管５が取付けられており、該送入管４より供給された所定温度、１５０〜３００℃の過熱蒸気が炉内に満たされることによりパフ３の表面に酸素による阻害無く重合反応が行われる。
【０００７】
反応条件例として２００℃で５分間加熱した反応評価結果は次の如くである。即ち、表面処理がない場合は親水性はなく、表面処理がある場合は従来法と同様親水性はある。
以下の作用効果が認められる。
（１）　上記の如く予め反応液を含浸させたパフ３を過熱蒸気炉１に入れるので重合反応が均一に起こり易い。
（２）　炉内は常圧のため装置が安価で取り扱いが容易である。
（３）　反応液の必要量はパフ３を浸すだけあれば良い。また、含浸工程では熱をかけないので、高価な反応液の繰り返し使用が可能となり経済的である。
（４）　反応温度の設定が比較的簡単でより高温にする事ができ、連続かつ短時間処理が可能となり時間当たりの生産量が増大する。
従来の反応条件例は１００℃で３０分間の加熱であったが、本発明の実施の形態例では２００℃で５分間の加熱で時間短縮となり、また親水性付与が可能である。
なお、図２において、送入管４には過熱蒸気の代わりに二酸化炭素を供給してもよい。また、反応液に反応しない熱媒体ならばいずれでも良い。とは言え、過熱蒸気は安価に供給でき、かつ比熱が大きい方が加熱には効率的である。
【０００８】
【発明の効果】
本発明の化粧用パフの表面改質方法は、過熱蒸気炉内に、反応液を含浸させたパフを並置したコンベアを通過させ、炉内に所定温度の過熱蒸気を所定時間充満させてパフ表面に重合反応を行わせるようにしたものであり、従来のバッチ式反応槽によるパフの表面改質方法に比べて効率的かつ安価になるという特徴がある。
【図面の簡単な説明】
【図１】従来の化粧用パフの表面改質方法の説明図である。
【図２】本発明の実施の形態の化粧用パフの表面改質方法の説明図である。
【符号の説明】
１　　　　　過熱蒸気炉
２　　　　　コンベア
３　　　　　パフ
４　　　　　過熱蒸気の送入管
５　　　　　排気管
７　　　　　袋
８　　　　　反応容器
９　　　　　反応液
【図１】
2004049515.tif 000003
【図２】
2004049515.tif 000004
(57)【要約】【課題】貯水タンクにおいて、組み付け時にバルブとパイプを常に正確に接続できるようにして同バルブ及びパイプの接続部分の使用中の破断を回避する。【解決手段】この貯水タンクは、側壁上部に給水口１０ａを備えたタンク本体１０を備えている。給水口には第１パイプ１１が貫通している。第１パイプの起端すなわちタンク本体外側の端部にはタンク本体の側壁上部に固定されるバルブ１２の流出ポート１２ａが接続されている。バルブの流入ポート１２ｂには第２パイプ１４の上端が接続されている。第２パイプの下端にはストレーナ１５が接続されている。ストレーナはブラケット１６によりタンク本体に固定されるようになっている。ブラケットは、上下方向に長く形成された取り付け穴を有し、同取り付け穴を用いて、タンク本体から突出した基板１７の切起こし部１７ａに上下方向に位置調整しながらビス止めされるようになっている。【選択図】　図１
2004049533.tif 000002
【特許請求の範囲】
【請求項１】
側壁上部に給水口を備えたタンク本体と、
前記給水口を貫通して前記タンク本体内に水を供給する第１パイプと、
前記タンク本体の外側にて同タンク本体の側壁上部に固定され前記第１パイプの起端に流出ポートを接続するバルブと、
前記バルブの下方位置にて前記タンク本体に固定されるストレーナと、
上端を前記バルブの流入ポートに接続するとともに下端を前記ストレーナに接続して前記ストレーナから前記バルブに水を供給する第２パイプとを備えた貯水タンクにおいて、
前記ストレーナの前記タンク本体に対する固定位置を上下方向に調整可能に構成したことを特徴とする貯水タンク。
【請求項２】
前記請求項１に記載の貯水タンクにおいて、
前記ストレーナは、上下方向に長く形成した取り付け穴を有するブラケットにより前記タンク本体に固定したことを特徴とする貯水タンク。
【発明の詳細な説明】
【０００１】
【発明の属する技術分野】
本発明は、例えば食器洗浄機に湯を供給するための電気湯沸かし器などに適用される貯水タンクに関する。
【０００２】
【従来の技術】
従来、この種の装置は、側壁上部に給水口を備えたタンク本体と、給水口を貫通してタンク本体内に水を供給する第１パイプと、タンク本体の外側にて同タンク本体の側壁上部に固定され第１パイプの起端に流入ポートを接続するバルブと、バルブの下方位置にてタンク本体に固定されるストレーナと、上端を前記バルブの流入ポートに接続するとともに下端をストレーナに接続してストレーナからバルブに水を供給する第２パイプとを備えている。そして、これら各部材を組み付ける場合、従来は、ストレーナをタンク本体に固定し、ストレーナに第２パイプ及びバルブを組み付けた後、バルブをブラケットなどによりタンク本体に固定して第１パイプに接続するようにしていた。
【０００３】
【発明が解決しようとする課題】
上記ストレーナを先にタンクに固定する従来装置においては、部材又は組み付けの誤差によりバルブと第１パイプの位置がずれて同バルブ及び第１パイプの接続部分が同装置の使用中に破断しやすくなることがあった。
【０００４】
【発明の概要】
本発明の目的は、組み付け時にバルブとパイプを常に正確に接続できるようにして同バルブ及びパイプの接続部分の使用中の破断を回避する貯水タンクを提供することにある。
【０００５】
本発明の構成上の特徴は、前記タンク本体、第１パイプ、バルブ、ストレーナ、及び第２パイプを備えた貯水タンクにおいて、ストレーナのタンク本体に対する固定位置を上下方向に調整可能に構成したことにある。この場合、ストレーナは、上下方向に長く形成した取り付け穴を有するブラケットによりタンク本体に固定するようにするとよい。これによれば、各部材の組み付けの際、最初にバルブを第１パイプに接続してタンク本体に固定した後に、ストレーナを上下方向に調整しながらタンク本体に固定できるようになる。したがって、バルブと第１パイプを常に正確に接続して同接続部分の使用中の破断を回避することができる。
【０００６】
【発明の実施の形態】
以下、本発明の一実施形態について図面を参照して説明する。同実施形態は、本発明による貯水タンクを食器洗浄機に適用したものであり、図１に示すように、側壁上部に給水口１０ａを備えたタンク本体１０を備えている。
【０００７】
タンク本体１０の給水口１０ａには、水平方向に延設された第１パイプ１１が貫通している。第１パイプ１１の先端部すなわちタンク本体１０内側の端部には給水口１１ａが形成されているとともに、同パイプ１１の起端すなわちタンク本体１０外側の端部には、同パイプ１１への水の流路を開閉するバルブ１２の流出ポート１２ａが接続されている。
【０００８】
バルブ１２は、図２にて詳細に示すように、ブラケット１３によりタンク本体１０の側壁上部に固定されるようになっている。バルブ１２の下側に配設された流入ポート１２ｂには、第２パイプ１４の上端が接続されている。第２パイプ１４の下端には、タンク本体１０内へ供給する水から異物を除去するストレーナ１５が接続されている。
【０００９】
ストレーナ１５は、ブラケット１６によりタンク本体１０に固定されるようになっている。ブラケット１６は、上下方向に長く形成された取り付け穴１６ａ，１６ａを有し、同取り付け穴１６ａ，１６ａを用いて、タンク本体１０から突出した基板１７の切起こし部１７ａに上下方向に位置調整しながらビス止めされるようになっている。
【００１０】
上記のように構成した貯水タンクにおいて、各部材を組み付ける際には、最初、予めタンク本体１０に第１パイプ１１を組み付け、バルブ１２にブラケット１３を組み付けるとともに第２パイプ１４を接続した上で（図２に示した状態）、バルブ１２及び第１パイプ１１を接続する。次に、第１パイプ１４の下端に基板１７の下側からブラケット１６を組み付けるとともにストレーナ１５を接続する。そして、ブラケット１６を上下方向に位置調整しながら基板１７の切起こし部１７ａに固定する。
【００１１】
上述のように、上記実施形態においては、上下方向に長く形成した取り付け穴１６ａ，１６ａを有するブラケット１６によりストレーナ１５のタンク本体１０に対する固定位置が上下方向に調整可能になっているため、各部材の組み付けの際、最初にバルブ１２を第１パイプ１１に接続してタンク本体１０に固定した後に、ストレーナ１５を上下方向に調整しながらタンク本体１０に固定できるようになっている。したがって、バルブ１２と第１パイプ１１を常に正確に接続して同接続部分の使用中の破断を回避することができる。
【００１２】
なお、上記場合において、ブラケット１６は、基板１７の切起こし部１７ａに固定するようになっているため水平方向側から固定できる。したがって、同方向側のパネルのみを取り外せばストレーナ１５を脱着することができるため、当該装置が簡単にメンテナンスできるようになっている。
【図面の簡単な説明】
【図１】本発明の第１の実施形態に係る貯水タンクを採用した食器洗浄機の全体縦断面図である。
【図２】前記食器洗浄機のバルブ、第２パイプ、及びストレーナの詳細を示す拡大斜視図である。
【符号の説明】
１０…タンク本体、１１…第１パイプ、１２…バルブ、１２ａ…流出ポート、１２ｂ…流入ポート、１４…第２パイプ、１５…ストレーナ、１６…ブラケット、１６ａ…取り付け穴。
【図１】
2004049533.tif 000003
【図２】
2004049533.tif 000004
(57)【要約】【課題】ボウリング場において貸与される貸靴に代えてプレーヤーが繰り返し専用使用できる使捨て式のボウリングシューズを提供する。【解決手段】アウトソール１のトウから全長の少なくとも５０％に亘る区域に例えばポリプロピレン繊維などを含んだ紙の不織布から形成された滑性層体３を直接にまたはスライダーを介して添着し、該滑性層体の表面には網状の凹凸加工を施こし、アウトソールの残余の区域５中には弾性材料を横断方向に配行した。【選択図】　　　　図１
2004049477.tif 000002
【特許請求の範囲】
【請求項１】
アウトソールのトウから全長の少なくとも５０％に亘る区域に滑性層体が直接または間接に添着されており、該滑性層体は繊維質を多く含んだ紙から構成されてかつ表面には網状の凹凸加工が施されており、アウトソールの残余の区域中には弾性材料が横断方向に配行されていることを特徴とする使捨て式ボウリングシューズ。
【請求項２】
前記の滑性層体がアウトソールに縫合により添着されていることを特徴とする請求項１に記載のボウリングシューズ。
【請求項３】
前記の滑性層体がスライダーを介してアウトソールに添着されていることを特徴とする請求項１に記載のボウリングシューズ。
【発明の詳細な説明】
【０００１】
【産業上の利用分野】
この発明は使捨て式ボウリングシューズに関するものである。
【０００２】
【従来技術】
ボウリング場においては貸靴であるボウリングシューズを用いてプレーすることが一般に行われており、この貸靴は不特定多数のプレーヤーにより使用されるのが通常である。
【０００３】
ボウリングの投球に際しては、右利きのプレーヤーなら左足をスライド（滑り）させて投球する（左利きなら右足を）。つまりボウリングシューズはそのアウトソールがスライドをできる構造となっている。
【０００４】
【発明が解決しようとする課題】
しかしかかる貸靴の場合には、衛生的な理由からプレーヤーは靴下を履いて貸靴を用いる必要があるが、それでも他人の使用した貸靴を使用することには心理的な抵抗がある。
【０００５】
かかる従来技術の現状に鑑みてこの発明の目的は、ボウリング場における貸靴に代えてプレーヤーが繰り返し専用使用できる使捨て式のボウリングシューズを提供することにある。
【０００６】
【課題を解決するための手段】
このためこの発明においては、アウトソールのトウから全長の少なくとも５０％に亘る区域に滑性層体を直接間接に添着し、該滑性層体は繊維質を多く含んだ紙から構成して表面には網状の凹凸加工を施こし、アウトソールの残余の区域中には弾性材料を横断方向に配行したことを要旨とする。
【０００７】
【作用】
投球に際しては滑性層体の部分が足のスライドを可能とするし、使用後はプレーヤーが持ち帰ることができる。
【０００８】
【実施例】
図１に示すのはこの発明のボウリングシューズの一実施例であって、そのアウトソール１のトウから全長のほぼ７０％の区域に亙って滑性層体３が縫合により添着されている。また残余の区域はヒール５を構成している。
【０００９】
滑性層体３は例えばポリプロピレン繊維などを含んだ紙の不織布から形成されており、その表面には網目状の凹凸加工が施されている。該不織布は例えば７２ｇ／ｍ２程度の密度の物を使用するのが望ましい。上記のような加工を施すことにより、弾力性と耐久性（亀裂が生じ難い）の高い滑性層体が得られる。また滑性層体３をプレス後の縫合によりアウトソール１に添着すれば、仮に滑性層体が使用時に剥離したり摩耗しても、露出した接着剤などで床面を汚すことがない。
【００１０】
ヒール５は低密度発泡ポリエチレンなどからなり（密度は３５０ｇ／ｍ２程度）、これに弾性テリレンラステックスなどが横断方向に配行されている。このラステックスとは商標名であって、ゴムの芯糸に細い撚糸を絡み付けたものである。
【００１１】
この発明は以上の態様に限定されるものではない。例えば上記の実施例では滑性層体を直接アウトソールに添着したがこれに代えて、予めアウトソールの形をしたスライダーを用意してアウトソールに添着し、これに滑性層体を添着するようにしてもよい。スライダーをアウトソールから取り外せば、普通の靴として使用することもできる。
【００１２】
【発明の効果】
貸靴を使用する必要がなく、しかも個々のプレーヤー専用なので使用に心理的な抵抗感がない。また多数回の使用で老朽化した場合には、普通のスリッパとして利用することもできる。さらに主として紙から形成されているので、廃材にした場合に容易に土に戻るので、環境を汚染することもない。
【図面の簡単な説明】
【図１】
この発明のボウリングシューズの一実施例を示す平面図である。
【符号の説明】
１：　アウトソール
３：　滑性層体
５：　ヒール
【図１】
2004049477.tif 000003
(57)【要約】【課題】鞄のかぶせ（蓋）を全開することなく、収納物の出し入れが簡単自在に出来る鞄を提供する。【解決手段】この発明の鞄はかぶせ（蓋）３の部分をファスナー１により分割し開閉可能としている。【選択図】　図１
2004049310.tif 000002
【特許請求の範囲】
【請求項１】
鞄のかぶせ（蓋）（３）にファスナー（１）を逢着する事により、（３）を分割し、その事により（３）を全開することなく（６）（７）（８）（９）の中にある収納物の出し入れを可能にした事を特徴とする鞄。
【発明の詳細な説明】
【発明の属する技術分野】
この発明は鞄のかぶせ（蓋）を開かずに、中の収納物の出し入れを可能にした鞄である。
【従来の技術】
従来の鞄についているかぶせ（蓋）は、固定させたり、収納物を隠したり、収納物の出し入れを制御することを目的にした物であった。
この場合、収納物を出し入れする時には必ず、かぶせ（蓋）を全開してからでないと、収納物の出し入れが不可能であった。
また、かぶせ（蓋）を開閉する時には、持ち手のついた鞄の場合いったん持ち手から手を離し操作しなければ作業が出来ず利便性に欠けていた。
【発明が解決使用とする課題】
そこで、この発明は上記の課題を解決する物であり、かぶせ（蓋）を全開することなく、収納物の出し入れが簡単自在に出来る事を目的として作られた物である。
また、この発明はかぶせ（蓋）を固定した状態で収納物が出し入れできる為、持ち手のついている鞄は、持ち手から手を離すことなく作業が出来、歩行中等の動作中でも安全かつ簡単に出し入れ操作が出来る事を目的として作られた物である。
また、かぶせ（蓋）を全開せずに収納物の出し入れが出来ることにより、デザイン面と機能面からも多種多様な展開を可能にしたものである。
【課題を解決するための手段】
この発明の鞄はかぶせ（蓋）（３）の部分をファスナー（１）により分割し開閉可能にしたものである。
また、止め具（４）ので固定した状態のままでファスナー（１）を（１ｂ）（１ｃ）のように開く事により（６）（７）（８）（９）に収納されている物、また、収納したい物を簡単自在に出し入れすることが出来るようにしたものである。また、この発明はファスナー（１）を（１ｂ）（１ｃ）のように両端を固定しても良いし、（１０ａ）（１０ｂ）のように、片側を固定し、反対側の片側を開くようにしても良い。
【発明の効果】
この発明の鞄は以上に述べたように構成されており、固定されているかぶせ（蓋）を全開することなく、中の収納物の出し入れが簡単自在に出来るようにしたため、鞄を携帯異動しながら鞄の収納物を見られることなく、上記の作業が出来るという利便性に富んだものにしている。
さらに、かぶせ（蓋）本来の目的である、固定と収納物の出し入れを抑制するという機能を保持しながら、それとは逆の機能を有するという面でも利便性に優れている。
【図面の簡単な説明】
【図１】この発明の鞄の実施形態を示す斜示図である。
【図２】この発明の鞄のかぶせ（蓋）を固定金具からはずして、裏面から見た斜示図である。
【図３】この発明の鞄のファスナーを開いて利用したときの斜示図である。
【図４】この鞄のかぶせ（蓋）を固定金具からはずして、ファスナーを開いた状態を裏面から見たときの斜示図である。
【図５】この鞄の片側を開いて利用する時の斜示図である。
【符号の説明】
１　　かぶせ（蓋）を分割するファスナー
１ａ　かぶせ（蓋）を分割するファスナーの裏面
１ｂ　かぶせ（蓋）を分割した時の片割れ
１ｃ　かぶせ（蓋）を分割した時の片割れ
１ｄ　かぶせ（蓋）を分割した時の片割れの裏面
１ｅ　かぶせ（蓋）を分割した時の片割れの裏面
２　　分割したかぶせ（蓋）の片割れ
３　　分割したかぶせ（蓋）の片割れ
４　　固定金具
４ａ　固定金具の片割れ
５　　持ち手
６　　ポケット
７　　ポケット
８　　ポケット
９　　鞄本体の収納部分
１０ａかぶせ（蓋）を片側開きで分割した時の片割れ
１０ｂかぶせ（蓋）を片側開きで分割した時の片割れ
【図１】
2004049310.tif 000003
【図２】
2004049310.tif 000004
【図３】
2004049310.tif 000005
【図４】
2004049310.tif 000006
【図５】
2004049310.tif 000007
(57)【要約】【課題】従来の技術で述べたものにあっては、手動昇降装置の構造が複雑で部品点数が多く且つ流し台キャビネット箱体への装着も難しいため大変なコスト高になるという問題点を有していた。【解決手段】手動昇降式流し台において構造を簡素化する為、流し台キャビネット箱体と床面との間に２個のパンタグラフ式ジャッキをそれぞれ左右両端に設置し、リンク機構を利用して連動させ、流し台キャビネット箱体の重量と釣り合う反発力を有する１個のストッパー機能付きガススプリングで駆動するよう構成されている。【選択図】　　　　図１
2004049323.tif 000002
【特許請求の範囲】
【請求項１】
流し台キャビネットの箱体下部にリンク機構によって連動する２つのパンタグラフ式ジャッキを左右両端にそれぞれ設置し、流し台キャビネットの箱体の重量と釣り合う反発力を有する１個のストッパー機能付きガススプリングで駆動する手動昇降装置を具備し、わずかな人力で前後左右均等に且つ無段階に高さを調節できる機能を備えることを特徴とする手動昇降式流し台。
【発明の詳細な説明】
【０００１】
【発明が属する技術分野】
本発明は台所に具備され調理や各種作業などに利用される手動昇降式流し台に関するものである。
【０００２】
【従来の技術】
手動昇降式流し台は使用する人の身長や使い勝手に合わせて高さを変えられるので誰もが楽な姿勢で調理作業が出来るため、二世帯住宅等の複数人が調理や各種作業などを行う場合に適している。従来、この種の手動昇降式流し台では複数のネジとナットをベルトや歯車で駆動する方式等があった。
【０００３】
【発明が解決しようとする課題】
従来の技術で述べたものにあっては、手動昇降装置の構造が複雑で部品点数が多く且つ流し台キャビネット箱体への装着も難しいため大変なコスト高になるという問題点を有していた。
【０００４】
本発明は従来の技術の有するこのような問題点に鑑みなされたものであり、その目的とするところは手動昇降式流し台について上記のような従来の問題点を解決するため、簡単な構造とすることにより流し台キャビネット箱体への装着が簡単で今まで以上にコストのかからない手動昇降装置を提供することである。
【０００５】
【課題を解決するための手段】
上記目的を達成するために、本発明は下記のようになるものである。
手動昇降式流し台において構造を簡素化する為、流し台キャビネット箱体と床面との間に２個のパンタグラフ式ジャッキをそれぞれ左右両端に設置し、リンク機構を利用して連動させ、流し台キャビネット箱体の重量と釣り合う反発力を有する１個のストッパー機能付きガススプリングで駆動するよう構成することにより、わずかな人力で前後左右均等に且つ無段階に高さを調節できる機能を備えることを特徴とするものである。
【０００６】
【発明の実施の形態】
以下、本発明の実施の形態を実施例に基づき図面を参照して説明する。
図１及び図２は本発明に関わる手動昇降式流し台の実施例を説明するものであってこのうち図１（ａ）は手動昇降式流し台の正面図、図１（ｂ）はＡ−Ａ線断面図である。図２は手動昇降装置４の詳細図であり、図２（ｃ）は手動昇降装置の平面図、図２（ｄ）は側面図である。
【０００７】
図１に示す手動昇降式流し台は台所用の流し台であって流し台キャビネット箱体３とこれを上下駆動させる手動昇降装置４から主に構成されている。
【０００８】
流し台キャビネット箱体３はシンクトップ１と扉付き収納庫２を備えたものである。
【０００９】
手動昇降装置４は主に２個のパンタグラフ式ジャッキ５、リンク部材９ａ、９ｂ、９ｃ、ストッパー機能付きガススプリング６から構成されている。
【００１０】
ストッパー機能付きガススプリング６は内部に充填されたガスの反発力によって常に伸びる方向すなわち流し台キャビネット箱体３を持ち上げる方向に力が働いている。従って流し台キャビネット箱体３の重量と釣り合う反発力のものを選定する必要がある。また、ストッパー機能付きガススプリング６には内部のオイルによって反発力の減衰作用があり、急激に伸縮しないようになっている。さらにストッパー機能があり操作ワイヤー７を介してストッパー解除レバー８を引けばストッパー機能付きガススプリング６が自由に伸縮し、戻せば任意の位置で固定される。尚、ストッパー解除レバー８は操作しやすい任意の場所に設置できる。
【００１１】
パンタグラフ式ジャッキ５は主に支持部材５ａ、クロスリンク５ｂ、タイヤローラー５ｃ、連結部材５ｄから構成されている。
【００１２】
リンク機構９はリンク部材９ａ、９ｂ、９ｃから構成されている。
【００１３】
手動昇降装置４において流し台キャビネット箱体３と床面との間に２組のパンタグラフ式ジャッキ５がそれぞれ左右両端に設置されている。この左右２個のパンタグラフ式ジャッキ５はリンク部材９ａ、９ｂ、９ｃにより連結されており、連動するようになっている。さらにリンク部材９ｃにはストッパー機能付きガススプリング６が連結されていてストッパー解除レバー８を引いた状態の時、わずかな人力により流し台キャビネット箱体３を上下させるとストッパー機能付きガススプリング６が伸縮しリンク部材９ｃが左右に移動する。それにともなって２個のパンタグラフ式ジャッキ５が左右均等に且つ無段階に上下し流し台キャビネット箱体３が昇降するというものである。また反対にストッパー解除レバー８を戻すと任意の高さで流し台キャビネット箱体３は固定される。
【００１４】
【発明の効果】
本発明は上述の通り構成されているので次に記載する効果を奏する。
Ａ．手動昇降装置を構成する部品点数が少ないのでコストを低くできる。
Ｂ．手動昇降装置の構造が単純な為、流し台キャビネット箱体への装着が簡単である。
【図面の簡単な説明】
【図１】（ａ）　本発明に係わる手動昇降式流し台の実施例を説明する正面図である。
（ｂ）　図１（ａ）に示した手動昇降式流し台のＡ−Ａ線断面図である。
【図２】（ｃ）　図１（ａ）実施例の手動昇降装置のみの平面図である。
（ｄ）　図２（ｃ）に示した手動昇降装置のみの側面図である。
【符号の説明】
１．シンクトップ
２．扉付き収納庫
３．流し台キャビネット箱体
４．手動昇降装置
５．パンタグラフ式ジャッキ
６．ストッパー機能付きガススプリング
７．操作ワイヤー
８．ストッパー解除レバー
９．リンク機構
【図１】
2004049323.tif 000003
【図２】
2004049323.tif 000004
(57)【要約】　　　（修正有）【課題】顔の左右でバランスのよい化粧ができる容器を提供する。【解決手段】本発明は、化粧料を装填する容器本体と、この容器本体に揺動可能に保持されその背面にミラー３を備えた蓋体との組み合わせからなる化粧料容器において、前記蓋体の背面に、ミラーの表面に沿って移動可能なバランスバー４を設ける。【選択図】　　　　図１
2004049362.tif 000002
【特許請求の範囲】
【請求項１】
化粧料を装填する容器本体と、この容器本体に揺動可能に保持されその背面にミラーを備えた蓋体との組み合わせからなる化粧料容器であって、前記蓋体の背面に、ミラーの表面に沿って移動可能なバランスバーを設けたことを特徴とする化粧料容器。
【請求項２】
バランスバーは蓋体の背面で移動可能に保持され該バランスバーを片持ち支持するか若しくは両端支持するスライダーを備える請求項１記載の化粧料容器。
【発明の詳細な説明】
【０００１】
【発明の属する技術分野】
本発明は、アイシャドーや眉墨等の化粧料を装填、保管しておくのに好適な容器に係わるものであり、顔の左右でバランスのとれた化粧を簡易に施そうとするものである。
【０００２】
【従来の技術】
アイシャドーや眉墨等の化粧料を装填する容器は、蓋体の裏側にミラーが備えられており、化粧を施すに当たっては、ミラーを見ながらアイシャドーを塗布したり眉墨を引くのが普通である。
【０００３】
ところで、かかる化粧は、人の感覚でもって行うものであるから、常に顔の左右でバランスよく塗布できるとは限らず、満足のいく化粧ができない場合には数回にわたって同じ作業を繰り返さざるを得ず、時間の有効利用を図る点からも有用とはいえない。
【０００４】
【発明が解決しようとする課題】
本発明の課題は、上述のような従来の問題に対し顔の左右でバランス良く化粧を施す場合に用いて有効な化粧料容器を提案するところにある。
【０００５】
【課題を解決するための手段】
本発明は、化粧料を装填する容器本体と、この容器本体に揺動可能に保持されその背面にミラーを備えた蓋体との組み合わせからなる化粧料容器であって、
前記蓋体の背面に、ミラーの表面に沿って移動可能なバランスバーを設けたことを特徴とする化粧料容器である。
【０００６】
上記の構成においてバランスバーは蓋体の背面で移動可能に保持され該バランスバーを片持ち支持するか若しくは両端支持するスライダーを備えるものがとくに有利に適合する。
【０００７】
【発明の実施の形態】
以下、図面を用いて本発明をより具体的に説明する。
【０００８】
図１は本発明に従う化粧料容器の外観斜視図であり、図２はその平面図であり、図３（ａ）〜（ｃ）は図２のＡ−Ａ断面、Ｂ−Ｂ断面、Ｃ−Ｃ断面である。
【０００９】
図における番号１は色彩の異なる内容物を装填、収納するとともにその内容物を塗布するための器具を備える容器本体、２は容器本体１に揺動可能に保持される蓋体である。蓋体２はその背面（裏面）にミラー３が設けられている。
【００１０】
また、４はミラー３の表面に沿い上下に移動可能なバランスバーである。バランスバー４は蓋体２の背面で長孔５に沿い移動可能に保持されそれを片持ち支持あるいは両端支持するスライダー６が備えられている。
【００１１】
化粧を行うに当たってバランスバー４を図４、図５の如く適宜にスライドさせそれを定規の代わりに使用することにより左右でバランスのとれた化粧が可能になる。
【００１２】
スライダー６は図３（ｃ）に示す如く、スライダー６の基部に左右のそれぞれで外側に向けて突出する足部を設け、この足部を長孔５の両サイドの溝にアンダーカットによって嵌合させ、そのすり合わせにより長孔５の任意の位置で停止できるように構成する。また、このような構成に換えてスライダー６と長孔５の接触部に凹凸等を設け、この凹凸等によってスライダー６を任意の位置で停止できるストッパーを構成するようにしてもよい。
【００１３】
上掲図１に示した容器はバランスバー４を片持ち支持した場合を例として示したが、両端支持することもできこの場合にはミラー３の反対側に長孔５と同等の長孔を設けるとともにこの長孔に沿って移動可能なスライダーを配置しバランスバーのもう一端を該スライダーに連結、保持すればよい。
【００１４】
【発明の効果】
本発明によれば、バランスバーを定規として使用することができるので左右でバランスのとれた化粧を簡易に行え化粧時間の短縮化を図ることが可能になる。
【図面の簡単な説明】
【図１】本発明に従う化粧料容器が外観斜視図である。
【図２】図１に示した容器の平面図である。
【図３】（ａ）は図２に示した容器のＡ−Ａ断面を示した図であり、（ｂ）は図２に示した容器のＢ−Ｂ断面を示した図であり、（ｃ）は図２に示した容器のＣ−Ｃ断面を示した図である。
【図４】本発明に従う容器の使用状況を示した図である。
【図５】本発明に従う容器の使用状況を示した図である。
【符号の説明】
１　容器本体
２　蓋体
３　ミラー
４　バランスバー
５　長孔
６　スライダー
【図１】
2004049362.tif 000003
【図２】
2004049362.tif 000004
【図３】
2004049362.tif 000005
【図４】
2004049362.tif 000006
【図５】
2004049362.tif 000007
(57)【要約】【課題】ハリ錆の防止、絡み防止、巻き取り及びセッティング時の手間を大幅に改善する仕掛け巻きを提供する。【解決手段】錆びはハリと止め部分の接触箇所で発生するため、ハリを直接掛けない方法として止め具の隙間に、ハリちもとのハリスだけを挟み止める止め具（１）にし、ハリの乾燥効果をあげた。また、ハリの途中外れも防止する。ハリス止めについても、止め具の隙間に、片側より順番にスライドさせて挟み止める形状のハリス止め具（２）、（３）の為、仕掛けの途中外れは無く絡み防止になる。巻き方は、錘側から、ヨリモドシ、ハリを、止め具（１）の隙間に順番に挟み止める。ハリスは、止め具（３）の隙間に順番に挟み止める。幹糸はまとめて、止め具（２）の隙間に挟み止める。竿へのセットは、幹糸の巻きをはずし、ヨリモドシを竿糸に取り付けて、竿をのばすだけで仕掛けは順次抜けていくので、いとも簡単にセットできる。【選択図】　図７
2004049069.tif 000002
【特許請求の範囲】
【請求項１】
止め具（１）、（２）、（３）は、同じ構造で（図５）に示すように棒（１１）と棒（１２）を平行に接触させて配置し、その微小隙間（Ｘ）にハリスを挟みとめる事を特徴とする。隙間（Ｘ）を保持するように（図４）に示すように支柱（４）に固着した仕掛け巻きである。
【発明の詳細な説明】
【０００１】
【発明の属する分野】
この発明は、複数の釣り針がついた魚釣り仕掛けを、絡まずに巻き取ることが出来る釣り用仕掛け巻きに関するものである。
【０００２】
【従来の技術】
従来の仕掛け巻きでは、ハリをハリ止め部分に直接掛ける方式のものであつた。したがって、水洗後もハリと引っ掛け箇所の接触部分で、乾燥が悪く錆が出てしまう原因になっていた。　またハリスの止め方は支柱等にわずかの切り込みを入れ止めるものが多く、巻取り中や竿へのセッティング中にハリスが切り込みから緩み、ハリが途中で外れてしまうため仕掛けの絡まる大きな原因になっていた。
【０００３】
【発明が解決しようとする課題】
本発明は、ハリ錆び、仕掛け絡み、巻き取り、およびセット時の手間を無くす釣り用仕掛け巻きを提供するために、ハリ止め具にハリを直接かけないような構造にして、ハリの乾燥効率をあげ錆びを防止する事。ハリスが途中で、はずれないようなハリス止め方法にして仕掛け絡みを防止する事。仕掛けの整列を良くして、セッティングの手間を改善する事。以上を課題とした。
【０００４】
【課題を解決するための手段】
ハリを直接掛けない方法として、（図５）に示すように棒（１１）と棒（１２）を平行に接触させて配置し、その微小隙間（Ｘ）を保持するように支柱に（図４）のように固着させた止め具（１）に、ハリスだけを挟みとめることにより、ハリと止め具との接触を無くす事を考案した。ハリスを止める方法についても同構造の止め具（２）、（３）にして、その隙間（Ｘ）に（図６）に示すように片方向より順番にスライドさせて挟み止めることで、途中外れの防止と絡みの防止をする事を考案した。
【０００５】
【発明の実施形態】
発明の実施の形態を実施例にもとつき図面を参照して説明する。
止め具の構造を（図５（ａ））に示すように、棒（１１）と棒（１２）を平行に接触させて配置して（図５（ｂ））に示す隙間（Ｘ）をつくる。支柱（４）に、棒（１１）と棒（１２）を取り付ける穴をあけ（図４）のように固着することにより隙間（Ｘ）は保持される。隙間（Ｘ）は、ハリス直径よりはるかに小さいが、棒の弾性でハリスを挟み止める事が出来る。止め具（１）、（２）、（３）は同じ構造である。
【０００６】
仕掛けを巻く方法は（図６）で示す。（図６（ａ））にあるより戻し１、２が任意の長さの幹糸に取り付けられ、任意の位置に、ハリ、ハリスが幹糸に数本取り付けられた仕掛けを、止める時はより戻し１側の幹糸を止め具（１）の隙間（Ｘ）に挟みこみスライドさせて引きながら止め具（３）の隙間（Ｘ）に止める。（図６（ｂ））のように次のハリがついたハリスも止め具（１）の隙間（Ｘ）に挟みこみスライドさせて引きながら止め具（３）の隙間（Ｘ）に止める。（図６（ｃ））のようにハリの本数分以下同じ様に止める。（図７（ａ））のようにより戻し２まで止めると、幹糸がたれた状態になる。（図７（ｂ））のように最後にたれた幹糸を止め具（２）の隙間（Ｘ）に挟みこみ仕掛け巻き作業が簡単に完了する。竿へのセットは幹糸を（図７（ａ））の状態にして、より戻し２を竿糸に取り付け引くだけで順次仕掛けは外れていくのでいとも簡単にセットが完了する。
【０００７】
本発明を実施するために、試作の便利さを考え、止め具に３ｍｍのアルミ丸棒を加工して、隙間（Ｘ）をつくり実施したが、ステンレス棒、樹脂等で、ある程度の強度があり、錆びない材料、ハリスを傷つけない形状であれば、同様の効果が得られる。量産の場合は、型を造り樹脂材料で支柱、止め具を一体成型してもよい。
【０００８】
【発明の効果】
本発明は、以上の様な構成であるから、ハリと止め具の接触部分がなく錆びの防止ができた。ハリスも順番に挟み止めることで、不用意に途中で外れることはなく仕掛け絡みの防止になった。巻き取り作業、竿へのセッティング作業も、片側方向からスライドさせて止める方式の為、効率よく出来る。
【０００９】
本発明の効果を試すため従来品と同条件比較をした結果、ハリ錆びについては、明らかに改善された。仕掛けの止め部分は、ハリスとハリちもとの２箇所止めの為、どちらが緩んでも外れることは無く、他のハリに影響しないので仕掛け絡みは無い。止め方は片方向よりスライドして挟み止めていく方式なので巻き取り、および竿へのセッティングが簡単に出来るため、手間は数段向上した。以上の様にいずれも好結果がでた。また、ハリが何かに当たってもフリーで、倒れ込むためハリ先に掛かる事がない。
【図面の簡単な説明】
【図１】本発明の、正面図である。
【図２】本発明の、右側面図である。
【図３】本発明の、右斜め上からの斜視図である。
【図４】本発明の、Ｙ−Ｚからの断面図である。
【図５】本発明の、止め具（１）または（２）または（３）の構成図である。
【図６】本発明の、仕掛けを巻く方法を示す図である。
【図７】本発明の幹糸を止める方法を示す図である。
【符号の説明】
１　は、１１と１２で構成する上段の止め具である。
２　は、１１と１２で構成する中段の止め具である。
３　は、１１と１２で構成する下段の止め具である。
４　は、１、２、３、を固着する支柱である。
Ｘ　は、１１と１２の隙間である。
【図１】
2004049069.tif 000003
【図２】
2004049069.tif 000004
【図３】
2004049069.tif 000005
【図４】
2004049069.tif 000006
【図５】
2004049069.tif 000007
【図６】
2004049069.tif 000008
【図７】
2004049069.tif 000009
(57)【要約】【課題】使役鉢の取り替えが容易で、背の高い植物や横に張る植物や蔓性の植物も、植木鉢に支柱を立てたり、紐でくくる必要がなく、移動可能な鉢植え植物の育成台を提供する。【解決手段】基台に、複数の支柱を立設し、支柱間に、着脱自在で、高さ変更可能な横桟を１または複数段に横架し、基台に植木鉢を載置して各種の植物たとえば、背の高い植物、横に拡がる植物や蔓性の植物を育成可能とする。支柱は継ぎ足し可能とするのが好ましい。【選択図】　　　図１
2004049045.tif 000002
【特許請求の範囲】
【請求項１】
基台に、複数の支柱を立設し、前記支柱間に、着脱自在で高さ変更可能な横桟を１または複数段に横架してなり、前記基台に植木鉢を載置して植物を育成可能とする移動可能な鉢植え植物の育成台。
【請求項２】
支柱は、継ぎ足し可能な支柱とすることを特徴とする請求項１に記載の鉢植え植物の育成台。
【発明の詳細な説明】
【０００１】
【発明の属する技術分野】
この発明は、移動可能な鉢植え植物の育成台に関するものである。
【０００２】
【従来の技術】
従来、植物を植木鉢に植えて栽培しているが、背の高く横に拡がる植物等の場合には植木鉢に支柱を立て、紐で植物の胴部をくくっている。
このような状態のものを部屋の中に入れて飾るのには不適当である。
【０００３】
観葉植物等の鉢植を展示、鑑賞用に支持する台としては実開昭６２−９４７４９に開示された鉢植支持台がある。
この支持台は図４に示すとおりのもので、この台は、基板１に４個の穴を設け、その孔のそれぞれに支柱２の下端を差し込んで接着剤で接着固定し、支柱２間に植鉢３を入れて基板１に載置し、植鉢３を支柱２で挟持する。
次いで、円形の板よりなり、前記支柱２の先端間隔に等しい間隔で孔を設けた棚板４を、その孔に支柱２の先端を通して接着剤で接着固定し、棚板４に植鉢３を載置し、棚板４より上方に突き出ている支柱２の先端で植鉢３を挟持し、その台を所望の場所へ置いている。
【０００４】
【発明が解決しようとする課題】
上記従来の台は、支柱２を基板１に、棚板４を支柱２に、接着剤で固定しているので、下の植鉢３は支柱２の外側へ取り出すことができないので、異なる植物の植鉢と取り替えることができない。
また、長い葉で拡がるような植物や蔓性の植物の場合には紐で４本の支柱２の周囲をくくらなければならない。
更に棚板４があるので、植鉢３の植物の高さが限定され、あまり背の伸びる植物の鉢を基板１上に載置することができない。
【０００５】
この発明は、載置する植え鉢の取替えが容易で、背の高い植物の鉢も載置でき、横に拡がる葉の植物や蔓性の植物でも別の支柱を立てたり、紐でくくる必要がなく、移動可能な鉢植植物の育成台を提供することを目的とする。
【０００６】
【課題を解決するための手段】
基台に、複数の支柱を立設し、前記支柱間に、着脱自在で高さ変更可能な横桟を１または複数段に横架し、移動可能で、前記基台に植木鉢を載置して植物を育成可能とする。
支柱は、継ぎ足し可能なものとするのが好ましい。
【０００７】
【発明の実施の形態】
この発明の実施の形態を図面により説明する。
基板６の縁部に複数の孔を設け、それらの孔に支柱７の下端を差し込んで支柱７を立設する。
【０００８】
基板６は、木製、金属製、プラスチック製の何れでもよい。
また基板６は円板、楕円板、角板等いずれの形状のものでもよい。
【０００９】
支柱７は、木製、金属製、プラスチック製の何れでもよい。
【００１０】
基板１の孔をネジ孔とし、支柱２の下端をネジ式にして、支柱２の下端を基　板１の孔に螺入して支柱２を基板１に固定してもよく、また、基板１の孔のネジ孔に支柱２の下端を螺入し、ネジとナットで固定してもよい。
【００１１】
支柱２は、一端をネジ切りし、他端にねじ孔を設け、他の支柱２のネジ切り部を螺入して支柱２を継ぎ足し出来るようにするのが好ましい。
なお、支柱２の継ぎ足しは、上記方法に限定せず、たの公知の方法で継ぎ足すことができる。
【００１２】
基板６には孔８を設け、基板６上に載置した植鉢に灌水して流下した水が基板６の下方へ流下できるようにするのが好ましい。
また基板６の裏面に足部９を設け、排水が流下し易く、空気の流通をよくするのが好ましい。
【００１３】
基板６に立設した支柱２間に着脱自在、かつ、高さ位置変更可能な複数の横桟１０を設ける。
【００１４】
支柱７と横桟１０との係止手段は限定せず、種々の係止手段を利用することができる。
例えば、支柱７に間隔をあけて複数の孔を設け、横桟１０の両端部に孔を設けて、支柱７の孔と横桟１０の孔に小さなボルトを挿入し、ネジで固定する。
横桟１０の高さは支柱の複数の孔から所望の高さの孔を選ぶことにより調整する。
【００１５】
図３に示す横桟１０は、係止手段として、両端に蟹の挟みのような爪１１を設けたものである。爪１１は弾性プラスチックまたはゴム製で、通常は爪先の間隔が狭まるように付勢されているが、爪先を支柱７に押し当てて強く押すと、爪先間に支柱７が入り、爪先間隔が狭まり、横桟１０が支柱７に固定される。
横桟１０の支柱７への固定がより強固になるように、支柱７の複数の高さの位置に凹部を設け、爪１１が嵌合できるようにするのが好ましい。
また、爪１１の２つの先の内、一方の先をバネで他方の先の方向へ付勢してもよい。
【００１６】
この育成台を使用する場合には、基板６に複数の支柱７を立設し、植物１２を植えた植木鉢１３を基板６の上に載置し、支柱２間に横桟１０を取り付ける。
横桟１０は一段階の高さに設け、植物１２の育成に応じて横桟１０の高さを調整するか、または、横桟１０を追加し、横桟１０を複数段に設ける。
支柱７も、植物１２の生長に応じて継ぎ足す。
横桟１０は、植物１２の拡がりをおさえて全体の体裁をよくする。植物１２が蔓製の場合には、支柱７および横桟１０が蔓を支える。
【００１７】
【発明の効果】
この発明は、背の高い植物の鉢も載置でき、横に拡がる葉の植物や蔓性の植物でも特別に支柱を立てたり、紐でくくる必要がなく、植物の育成が容易で、載置する植鉢の取替えが容易で、体裁もよく、移動可能で、室内の装飾にも適している。
【図面の簡単な説明】
【図１】鉢植え植物の育成台の斜視図である。
【図２】植物を育成状態の鉢植え植物の育成台の斜視図である。
【図３】横桟の平面図である。
【図４】植物を育成状態の従来の鉢植え植物の育成台の斜視図である。
【符号の説明】
１　基板
２　支柱
３　植え鉢
４　棚板
５　植え鉢
６　基板
７　支柱
８　孔
９　足部
１０　横桟
１１　爪
１２　植物
１３　植木鉢
【図１】
2004049045.tif 000003
【図２】
2004049045.tif 000004
【図３】
2004049045.tif 000005
【図４】
2004049045.tif 000006
(57)【要約】【課題】組み立てが容易で、強度に優れ、商品が見やすい棚付きの厚紙製陳列台を提供する。【解決手段】一対の側壁１を背壁２に連設し、両側壁１間に棚５を渡した陳列台において、棚５を背壁２に上下方向に回動自在に取り付け、両側壁１間に折畳用の斜折線７を有する棚受板６を渡し、この棚受板６で棚５を支持する。扁平な折畳状態から簡単に組み立てられ、その組立状態において、棚５が全体的に棚受板６で支持されるので、棚支持用の縦仕切を設けることなく、棚５の耐荷重性を強化することができ、すっきりした陳列が可能となる。【選択図】　図１
2004049788.tif 000002
【特許請求の範囲】
【請求項１】
一対の側壁１を背壁２に連設し、両側壁１間に棚５を渡した陳列台において、棚５を背壁２に上下方向に回動自在に取り付け、両側壁１間に折畳用の斜折線７を有する棚受板６を渡し、この棚受板６で棚５を支持したことを特徴とする厚紙製陳列台。
【発明の詳細な説明】
【０００１】
【発明の属する技術分野】
この発明は、小売店の店頭において商品の陳列に使用する棚付きの厚紙製陳列台に関するものである。
【０００２】
【従来の技術】
従来、この種の陳列台として、図６に示すように、一対の側壁５１、背壁５２及び前壁５３を備え、台板５４の上方で両側壁５１間に棚５５を渡し、棚５５の両側の折曲片５６を側壁５１の内面に形成したスリット５７に差し込み、棚５５の中央部を縦仕切５８で支持するようにしたものが使用されている。
【０００３】
【発明が解決しようとする課題】
しかしながら、上記のような陳列台では、店頭での組み立てに手間がかかるほか、縦仕切５８が視界を遮るので、台板５４上の商品が側方から見えにくくなるという問題もある。
【０００４】
そこで、この発明は、組み立てが容易で、強度に優れ、商品が見やすい棚付きの厚紙製陳列台を提供することを課題とする。
【０００５】
【課題を解決するための手段】
上記課題を解決するため、この発明は、一対の側壁を背壁に連設し、両側壁間に棚を渡した陳列台において、棚を背壁に上下方向に回動自在に取り付け、両側壁間に折畳用の斜折線を有する棚受板を渡し、この棚受板で棚を支持するようにしたのである。
【０００６】
この陳列台は、扁平な折畳状態から簡単に組み立てられ、その組立状態において、棚が全体的に棚受板で支持されるので、縦仕切を設けることなく、棚の耐荷重性を強化することができ、すっきりした陳列が可能となる。
【０００７】
【発明の実施の形態】
以下、この発明の実施の形態を添付図面に基づいて説明する。
【０００８】
図１に示すように、この陳列台は、一対の側壁１、背壁２及び前壁３を備え、台板４の上方で側壁１間に２段の棚５を渡し、各棚５を背壁２に上下方向に回動自在に取り付け、両側壁１の間に棚５の下面に沿うように棚受板６を渡し、この棚受板６に後端角から前縁へ至る斜折線７を設けたものであり、図２及び図３に示す厚紙製の各部材から組み立てられている。
【０００９】
ここで、側壁１は、補強材８を挟んで補強され、背壁２及び前壁３とは糊代で継ぎ合わされている。前壁３と台板４とは繋がれて、台板４は、裏面に貼り付けた補強材９で補強され、背壁２及び前壁３に貼り付けた台受材１０で支持されている。また、側壁１及び台受材１０の側面には折目線１１が設けられている。
【００１０】
棚５は、補強材１２を挟んで補強され、棚５の前部には落止板１３が取り付けられている。棚受板６は、その両側部及び側壁１のビス穴を貫通するプラスチック製のビス１４で側壁１に固定されている。背壁２の上部にはパネル受け１５が挟み込まれ、表示パネル１６が差し込まれている。
【００１１】
上記のような陳列台は、図４に示すように、台板４及び棚５を跳ね上げて、両側壁１及び台受材１０を折目線１１に沿って内側へ折り曲げると、棚受板６が斜折線７沿いに屈曲して、扁平に折り畳むことができ、嵩張らない状態で小売店に配送することができる。
【００１２】
そして、小売店の店頭では、図５に示すように、両側壁１を開き、台板４及び棚５を使用状態にセットすると、棚受板６が伸ばされて、棚５が棚受板６で支持されるので、迅速に組み立てることができ、従来例のような縦仕切がなくても、比較的重量のある商品を見やすい状態で陳列することができる。
【００１３】
【発明の効果】
以上のように、この発明に係る厚紙製陳列台は、扁平な折畳状態から両側壁を開くと、棚受板が伸ばされて、使用状態にセットした棚が棚受板で支持されるようにしたので、店頭で迅速に組み立てることができ、商品を見やすい状態で陳列することができる。
【図面の簡単な説明】
【図１】この発明に係る厚紙製陳列台の使用状態を示す斜視図
【図２】同上の部材のブランクを示す図
【図３】同上の部材のブランクを示す図
【図４】同上の折畳状態を示す斜視図
【図５】同上の組立過程を示す斜視図
【図６】従来の厚紙製陳列台を示す斜視図
【符号の説明】
１　側壁
２　背壁
３　前壁
４　台板
５　棚
６　棚受板
７　斜折線
【図１】
2004049788.tif 000003
【図２】
2004049788.tif 000004
【図３】
2004049788.tif 000005
【図４】
2004049788.tif 000006
【図５】
2004049788.tif 000007
【図６】
2004049788.tif 000008